(57)【要約】【課題】長時間のリモートライブビューをし続ける場合の電力消費を抑え、カメラ本体の温度上昇を軽減することができる撮像装置を提供すること。【解決手段】送信されたライブ映像を表示する外部機器を備えた遠隔制御システムに用いられ、第１、第２のセンサを有し、ユーザにライブ映像を提供する撮像装置であって、ユーザの指示、もしくは前記撮像装置の状態に応じて、被写体光を受信するセンサを切り替えるセンサ切替手段と、前記センサが受信した被写体光を現像してライブ映像にするライブ映像現像手段と、前記ライブ映像を前記外部機器に送信するライブ映像送信手段と、を備えることを特徴とする。【選択図】図２
2018207428.tif 000002
【特許請求の範囲】
【請求項１】
送信されたライブ映像を表示する外部機器を備えた遠隔制御システムに用いられ、第１、第２のセンサを有し、ユーザにライブ映像を提供する撮像装置であって、
ユーザの指示、もしくは前記撮像装置の状態に応じて、被写体光を受信するセンサを切り替えるセンサ切替手段と、
前記センサが受信した被写体光を現像してライブ映像にするライブ映像現像手段と、
前記ライブ映像を前記外部機器に送信するライブ映像送信手段と、
を備えることを特徴とする撮像装置。
【請求項２】
前記第１のセンサは最終的な静止画像、動画像を得るもので、前記第２のセンサは測光もしくは合焦のための２次元配列のセンサであることを特徴とする請求項１に記載の撮像装置。
【請求項３】
前記ライブ映像現像手段は、前記センサで受信した被写体光を、リアルタイムにライブ映像へと現像するものであることを特徴とする請求項１に記載の撮像装置。
【請求項４】
前記センサ切替手段は、被写体光を受信するセンサを切り替えるもので、ミラーアップの状態では前記第１のセンサ、ミラーダウンの状態では前記第２のセンサ、に切り替えることを特徴とする請求項１に記載の撮像装置。
【請求項５】
前記第１のセンサの温度を検出する温度検出手段を有し、検出された温度情報に応じて、前記第１、第２のセンサを切り替えることを特徴とする請求項１に記載の撮像装置。
【請求項６】
ユーザの指示に応じて、前記第１、第２のセンサを切り替えることを特徴とする請求項１に記載の撮像装置。
【請求項７】
ライブ映像の連続表示時間を判定し、前記第１、第２のセンサを切り替えることを特徴とする請求項１に記載の撮像装置。
【請求項８】
前記ライブ映像現像手段は、最終的な動画を得るための通常画質現像手段と、前記高画質現像手段より低電力な簡易現像手段を有し、前記第２のセンサで得たライブ映像は前記簡易現像手段を用いることを特徴とする請求項１に記載の撮像装置。
【請求項９】
前記第１のセンサの温度を検出する温度検出手段を有し、検出された温度情報に応じて、前記ライブ映像の画質が、前記第１のセンサを前記通常画質現像手段により現像した通常画質もしくは前記第２のセンサを前記簡易画質現像手段により現像した簡易画質のどちらかを切り替えることを特徴とする請求項８に記載の撮像装置。
【請求項１０】
前記ユーザの指示に応じて、前記ライブ映像の画質が、前記第１のセンサを前記通常画質現像手段により現像した通常画質もしくは前記第２のセンサを前記簡易画質現像手段により現像した簡易画質のどちらかを切り替えることを特徴とする請求項８に記載の撮像装置。
【請求項１１】
ライブ映像の連続表示時間を判定し、前記ライブ映像の画質が、前記第１のセンサを前記通常画質現像手段により現像した通常画質もしくは前記第２のセンサを前記簡易画質現像手段により現像した簡易画質のどちらかを切り替えることを特徴とする請求項８に記載の撮像装置。
【発明の詳細な説明】
【技術分野】
【０００１】
本発明は、カメラからのライブ映像を外部機器に表示させるリモートライブビュー機能に関し、長時間リモートライブビューをし続ける場合の撮像装置の電力消費を抑える技術に関する。
【背景技術】
【０００２】
ＰＣやスマートフォン等の外部機器とカメラを無線等で接続し、カメラからのライブ映像を外部機器に表示させるリモートライブビュー機能がある。一眼レフカメラでこの機能を使うには、ミラーアップによるライブビューモードを使う必要があった。
【０００３】
この機能により、物理的に離れた場所から一眼レフカメラを遠隔制御することが可能となるが、長時間リモートライブビューを継続する場合、電力の消費が激しく、カメラ本体の温度が上昇してしまう。このため、いざ撮影する時に画質が低下してしまうという問題があった。
【０００４】
特許文献１では、撮像素子で得られる映像をライブビュー画像とする撮像装置と、撮像装置からライブビュー画像を受信して表示する外部機器とを備えた遠隔制御システムであって、撮像装置の所定の操作及び外部機器の所定の操作が規定の時間検出されなかった場合、撮像装置から外部機器に転送するライブビュー画像のデータ量を減らす。そして、外部機器と撮像装置との間の操作が一定時間無かった場合、ライブビュー画面をウェイト状態にすることで通信量を削減し、省電力を図るという技術が提案されている。
【先行技術文献】
【特許文献】
【０００５】
【特許文献１】特開２０１４−２７３３８号公報
【発明の概要】
【発明が解決しようとする課題】
【０００６】
しかしながら、外部機器とカメラ本体との間でユーザ操作が頻繁に行われ、ライブビュー画面をウェイト状態にすることが出来なかった場合、長時間連続動作により電力を激しく消費し、カメラ本体の発熱により画質が低下してしまっていた。そのため、通信をウェイト状態にする方法以外の、省電力を図る技術が求められていた。
【０００７】
本発明の目的は、長時間のリモートライブビューをし続ける場合の電力消費を抑え、カメラ本体の温度上昇を軽減することができる撮像装置を提供することにある。
【課題を解決するための手段】
【０００８】
上記の目的を達成するため、本発明に係る撮像装置は、
送信されたライブ映像を表示する外部機器を備えた遠隔制御システムに用いられ、第１、第２のセンサを有し、ユーザにライブ映像を提供する撮像装置であって、ユーザの指示、もしくは前記撮像装置の状態に応じて、被写体光を受信するセンサを切り替えるセンサ切替手段と、前記センサが受信した被写体光を現像してライブ映像にするライブ映像現像手段と、前記ライブ映像を前記外部機器に送信するライブ映像送信手段と、を備えることを特徴とする。
【発明の効果】
【０００９】
本発明に係る撮像装置によれば、長時間のリモートライブビューをし続ける場合の撮像装置の電力消費を抑え、カメラ本体の温度上昇を軽減することができる。
【図面の簡単な説明】
【００１０】
【図１】本発明の実施形態に係る撮像装置の一例の構成を示すブロック図である。
【図２】撮像装置で動作するライブ映像（以下ライブビュー）の動作を説明するためのフローチャートである。
【図３】携帯端末でリモートライブ映像を表示するための説明図である。
【図４】通常ＬＶモードと簡易ＬＶモードの動作を説明するためのブロック図である。
【図５】通常ＬＶモードと簡易ＬＶモードで表示された画像の一例を示す図である。
【発明を実施するための形態】
【００１１】
以下、本発明を実施するための形態について、図面を参照しながら説明する。
【００１２】
（遠隔制御システム）
以下に説明する本発明の実施形態に係る撮像装置で取得されるライブ映像は、撮像装置より送信されて外部機器に表示される。このような遠隔制御システムに用いられる撮像装置は、第１、第２のセンサを有し、ユーザにライブ映像を提供する。そして、撮像装置としては、デジタルスチルカメラやデジタルムービーカメラ等の電子カメラが用いられる。また、このような電子カメラに接続される外部機器としては、例えば、パーソナルコンピュータ、携帯端末等が用いられる。以下では、本発明の好適な適用例として撮像装置を電子カメラ、ライブ映像を表示する外部機器を携帯端末に適用した例を説明する。
【００１３】
（撮像装置）
図１は、本発明の実施形態に係る撮像装置の一例について、その構成を示すブロック図である。
【００１４】
図示の撮像装置は、例えば、デジタルカメラ（以下単にカメラと呼ぶ）であり、カメラ本体１００およびレンズユニット２００を有している。そして、レンズユニット２００は、カメラ本体１００に着脱可能、つまり、交換可能である。
【００１５】
レンズユニット２００は、レンズ２０１（撮像光学系）を備えている。レンズ２０１は、例えば、複数枚のレンズで構成されるが、ここでは、簡略のため一枚のレンズが示されている。通信端子２０６はレンズユニット２００がカメラ本体１００と通信を行うための端子である。
【００１６】
通信端子２０６は、レンズユニット２００がカメラ本体１００に装着された際、カメラ本体１００に備えられた通信端子１１８と接続される。つまり、レンズユニット２００は、通信端子２０６および１１８を介してカメラ本体１００に備えられたカメラ制御部１０５と通信を行う。
【００１７】
レンズユニット２００は、レンズシステム制御回路２０５を有しており、レンズシステム制御回路２０５は絞り駆動部２０４を介して絞り２０２を駆動制御する。さらに、レンズシステム制御回路２０５はフォーカス駆動部２０３を介して、レンズ２０１を光軸に沿って移動させてその位置を変位させることによって焦点を合わせる。
【００１８】
カメラ本体１００において、レンズユニット２００の光軸（撮影光路ともいう）上には主ミラー１０１が配置されている。この主ミラー１０１は、カメラの動作状態に応じて回動可能であり、被写体をファインダで観測する際には撮影光路（図中破線で示す）に対して斜めに位置づけられる。これによって、レンズユニット２００から入射した光学像（被写体像）が後述するファインダ光学系に導かれる。
【００１９】
撮影の際およびライブ映像（以下ライブビュー）表示の際には、主ミラー１０１は撮影光路から退避する。これによって、レンズユニット２００から入射した光学像は後述する撮像センサ１０３に導かれる。なお、図１において、主ミラーが撮影光路上に位置づけられた際の位置を実線ブロック１０１で示し、主ミラーが撮影光路から退避した際の位置を破線ブロック１０１’で示す。
【００２０】
主ミラー１０１の後段にはシャッタ１０２が配置されており、シャッタ１０２は、レンズユニット２００から入射した光学像の撮像センサ１０３への入射を制御する。シャッタ１０２は撮影の際およびライブビューの際に開いた状態になる。なお、シャッタ１０２は、カメラ制御部１０５の制御下でシャッタ制御部１１５によって駆動制御される。
【００２１】
シャッタ１０２の後段には撮像センサ１０３が配置されており、撮像センサ１０３として、例えば、ＣＭＯＳセンサ又はＣＣＤセンサが用いられる。撮像センサ１０３は最終的な静止画像、動画像を得るもので、タイミングジェネレータ１１６から出力されるタイミング信号に基づいて駆動されて、光学像に応じた電気信号（アナログ信号）を出力する。なお、タイミングジェネレータ１１６は、カメラ制御部１０５の制御下で、所謂電子シャッタを制御するタイミング信号を撮像センサ１０３に送る。
【００２２】
アナログ信号処理部１０４は、撮像センサ１０３の出力であるアナログ信号をサンプルホールドしてアナログゲインを付加した後、Ａ／Ｄ変換によってデジタル信号に変換する。カメラ制御部１０５は、アナログ信号処理部１０４の出力であるデジタル信号に対して後述するデジタル信号処理を施して画像データを生成し、メモリ制御部１２０を介してメモリ１２１に保存する。図示のように、カメラ制御部１０５は、デジタルゲイン部１０６、画像処理部１０７、測光処理部１１３、およびＡＥ（自動露出）センサ処理部１２４を有している。
【００２３】
デジタルゲイン部１０６は、アナログ信号処理部１０４の出力であるデジタル信号にデジタルゲインを付加する。そして、デジタルゲイン部１０６をデジタルゲインが付加されたデジタル信号を画像処理部１０７に出力する。
【００２４】
画像処理部１０７は、デジタルゲイン部１０６の出力であるデジタル信号に対して所定のデジタル信号処理を施す。例えば、画像処理部１０７は、画素補間処理、色変換処理、撮像面ＡＦ（コントラストＡＦ）評価値の算出、および測光値の算出を行う。請求項８に記載される通常画質現像手段は、画像処理部１０７に含まれる。
【００２５】
画像表示部１１９は、画像および撮影に関する情報を表示する、ＬＣＤ（液晶表示装置）などの画像表示装置である。そして、画像表示部１１９には画像処理部１０７の出力である画像データに応じた画像が表示される。なお、ライブビュー動作の際には、画像表示部１１９には所謂スルー画像が逐次表示される。
【００２６】
操作部１２２は、ユーザからの操作を受け付ける入力部である。操作部１２２には、シャッタ秒時などを設定する操作ダイヤル、撮影指示ボタン、ライブビュー切り替えボタン、および各種操作ボタンが備えられ、操作部１２２はユーザによる入力操作をカメラ制御部１０５に送る。
【００２７】
主ミラー１０１の上方には、ピント板１０９が配置されている。ピント板１０９は、レンズユニット２００の一次結像面に配置され、その入射面にはフレネルレンズ（集光レンズ）を有し、射出面に被写体の光学像（ファインダ像）を結像する。
【００２８】
ペンタプリズム１１０はファインダ光路を変更するものであり、ピント板１０９の射出面に結像した被写体像を正立正像に補正する。接眼レンズ１１１は、ユーザがファインダを覗いた際、ユーザの眼に合わせて視度を調節することができる。ここで、ピント板１０９、ペンタプリズム１１０、および接眼レンズ１１１によって構成される光学系はファインダ光学系と呼ばれる。
【００２９】
ペンタプリズム１１０の近傍には測光センサ１１２が配置され、測光センサ１１２は撮像領域を分割した複数の領域を有し、これら領域に対応する複数のフォトダイオードを備える。そして、測光センサ１１２はピント板１０９の射出面に結像した被写体像の輝度を検出して測光処理部１１３に送る。
【００３０】
ペンタプリズム１１０の近傍にはＡＥ（自動露出）センサ１２３が配置され、ミラーダウンした状態で、主ミラー１０１から反射した被写体像を受光する。ＡＥセンサ１２３は測光／合焦のための２次元配列のセンサであり、被写体像から輝度情報を検出してデジタルゲイン部１０６で自動露出補正と、撮像面位相差ＡＦによる合焦処理を行う。
【００３１】
簡易ライブビューモード（以下簡易ＬＶモード）では、第２のセンサであるＡＥセンサ１２３で受光し、各種画像処理をパスしてＡＥセンサ処理部１２４で簡易現像し、携帯端末３００の画面表示部３０１に表示される（リモートライブビュー）。簡易現像はＡＥセンサ処理部１２４に含まれる簡易画質現像手段で行われる。簡易ＬＶモードは、画素数の少ないＡＥセンサ１２３を用いること、およびＡＦセンサ１１７を動作させないことから、通常ライブビューモード（以下通常ＬＶモード）に比べて大幅に消費電力を減らすことができる。
【００３２】
なお、簡易ＬＶモードにおいて、色情報を省略し輝度信号だけで簡易現像して白黒画像に変更したり、輝度信号や色信号に対してノイズ低減処理やデジタルゲイン処理を省略するなど、さらに簡素化して簡易現像すると、よりいっそう消費電力を減らすことが出来る。
【００３３】
ＡＥセンサ１２３から取り込んだ画像データは、ＡＥセンサ処理部１２４で処理し、外部出力１２６に送って携帯端末３００の画像表示部３０１に表示する。
【００３４】
測光処理部１１３は、測光センサ１１２に対して所定の間隔（つまり、測光タイミング）で蓄積駆動および読み出し駆動を行って、測光値（つまり、光量）の時系列変化を測定する。
【００３５】
ＡＦセンサ１１７は、撮像面位相差ＡＦによって一対の像のずれ量に応じたデフォーカス量をカメラ制御部１０５に出力する。カメラ制御部１０５は、画像処理部１０７によって得られた撮像面ＡＦ評価値又はＡＦセンサ１１７で得られたデフォーカス量に基づいてレンズ駆動量および駆動方向を決定する。
【００３６】
カメラ制御部１０５は、通信端子１１８および２０６を介してレンズシステム制御回路２０５にレンズ駆動量および駆動方向を送る。レンズシステム制御回路２０５は、フォーカス駆動部２０３によって当該レンズ駆動量および駆動方向に応じてレンズ２０１を光軸に駆動する。なお、カメラ制御部１０５は、ＣＰＵ、ＲＯＭ、およびＲＡＭからなるマイクロコンピュータであって、ＲＯＭに保存されたプログラムを実行してカメラ全体を制御する。
【００３７】
図２は、撮像装置で動作するライブ映像（以下ライブビュー）の動作を説明するためのフローチャートである。
【００３８】
レンズユニット２００を通して入射した被写体画像を、撮像センサ１０３で受光するため、主ミラーをミラーアップする１０１’（ステップＳ２０１）。
【００３９】
続いて、撮像センサ１０３から受光した被写体画像に対して、通常画質現像手段により、通常ＬＶ現像を行う（ステップＳ２０２）。
【００４０】
前記通常画質現像手段で現像した通常ＬＶ表示用の静止画像を、外部出力１２６に送付して、携帯端末３００の画像表示部３０１に表示する（ステップＳ２０３）。
【００４１】
次に、撮像センサ１０３が通常通り動作するかどうかを、警告状態フラグを用いて判定する（ステップＳ２０４）。警告状態フラグは、撮像センサ１０３からの画像読み出しで画質が低下する場合にＹｅｓ、低下しない場合にＮｏとなる。
【００４２】
警告状態フラグがＹｅｓになる第一の例として、撮像センサ１０３が一定の温度を超える場合がある。温度センサ１２５を用いて撮像センサ１０３をモニタし、撮像センサ１０３が温度上昇して一定の温度を超えた時、警告状態フラグをＹｅｓにする。撮像センサ１０３の温度が上昇すると、撮像センサ１０３から出力される色信号や輝度信号に熱由来のノイズが増えるため、ユーザが静止画を撮影した時に画質が低下してしまう。前記画質の低下を避けるため、ライブ映像の動作モードを簡易ＬＶモードに切り替え、撮像センサ１０３を休ませて撮像センサ１０３の温度を下げることにより、省電力を実現しつつ、静止画撮影時の画質劣化を避けることができる。
【００４３】
警告状態フラグがＹｅｓになる第二の例として、通常ＬＶモードで連続表示した時間が一定時間を超える場合がある。通常ＬＶモードを一定時間以上連続表示した場合、警告状態フラグをＹｅｓにする。なお、連続表示の時間だけで判断する場合、温度センサ１２５を省略しても構わない。
【００４４】
次に、警告状態フラグがＮｏであればステップＳ２０２に戻り、次のシャッタ秒時に受光した被写体画像に対し、通常画質現像手段により通常ＬＶ現像を行う。警告状態フラグがＹｅｓであれば、主ミラーをミラーダウンして１０１、受光するセンサを変更する（ステップＳ２０５）。
【００４５】
ミラーダウン後、レンズユニット２００を通して入射した被写体画像は、主ミラー１０１で反射して、ＡＥセンサ１２３で受光するＡＥセンサ１２３で。受光した被写体画像は、簡易現像手段により簡易ＬＶ現像して（ステップＳ２０６）、外部出力１２６に送信し、携帯端末３００の表示画面３０１に簡易ＬＶ表示する（ステップＳ２０７）。
【００４６】
続いて、警告状態フラグを判定し（ステップＳ２０８）、警告状態フラグがＹｅｓであれば簡易ＬＶ現像を継続し、警告状態フラグがＮｏであればステップＳ２０１に戻って、通常ＬＶ現像に切り替える。
【００４７】
前記警告状態フラグは、撮像センサ１０３の温度が下がったことを検知したり、簡易ＬＶ現像モードを開始してから一定時間経過したことを検知した時に、Ｎｏに戻しても良い。
【００４８】
図３は、携帯端末３００の画像表示部３０１でリモートライブ映像を表示する時の説明図である。
【００４９】
ユーザは、携帯端末３００でリモートライブ映像を表示するアプリを起動し、前記アプリの操作画面で、通常ＬＶモードと簡易ＬＶモードを切り替える。切り替え操作は、前記アプリが用意する操作メニューに依存し、タッチパネルもしくは携帯端末３００のボタン部３０２を用いる。なお、携帯端末３００とカメラ本体１００は、無線ＬＡＮを介して、携帯端末３００の外部出力３０３とカメラ本体１００の外部出力１２６が接続される。
【００５０】
図４は、通常ＬＶモードと簡易ＬＶモードの動作を説明するためのブロック図である。
【００５１】
通常ＬＶモードでは、主ミラーがミラーアップ１０１’の状態で被写体４０１を撮影する。前記被写体４０１から得られた被写体光は、レンズユニット２００を通って、撮像センサ１０３で受光する。撮影データは、無線ネットワークを介して携帯端末３００に転送され、携帯端末３００の画面表示部３０１に表示される。
【００５２】
これに対し、簡易ＬＶモードでは、主ミラーがミラーダウン１０１の状態で被写体４０１を撮影する。撮影した被写体光は、カメラ本体１００に装着されたレンズユニット２００を通り、主ミラー１０１で反射され、ＡＥセンサ１２３で受光する。撮影データは無線ネットワークを介して携帯端末３００に転送され、携帯端末３００の画面表示部３０１に表示される。
【００５３】
図５は、通常ＬＶモードと簡易ＬＶモードで表示された画像の一例を示す。
【００５４】
通常ＬＶモードの画像は、撮像センサ１０３で受光された画像を、通常画像現像手段で通常現像した後に、外部出力１２６に送られて携帯端末３００の表示画面３０１に表示されるもので、静止画を撮影した時と同等レベルの高品質な画像となる。簡易ＬＶモードの画像は、ＡＥセンサ１２３で受光された画像を、簡易画像現像手段で簡易現像した後に、外部出力１２６に送られて携帯端末３００の表示画面３０１に表示されるもので、画像処理をスルーしている。露出補正、周辺光量補正などの画像補正処理がかかっていないため、厳密には静止画を撮影した時の画像と一致しないが、リモートライブビュー画像を通常ＬＶモードと同じタイミングで表示し続けることで、ユーザがシャッターチャンスを逃さないようにする。
【００５５】
リモートライブ映像の更新タイミングについて説明する。
【００５６】
通常ＬＶモードでは、撮像センサ１０３からフレームレート（ｆｐｓ）に沿って６０ｆｐｓ、５０ｆｐｓ、３０ｆｐｓ、２５ｆｐｓ、２４ｆｐｓのように１秒間に複数枚の静止画を取り込んで、現像するため、高品質で滑らかで動画を表示することができる。
【００５７】
一方、簡易ＬＶモードでは、画素数の少ないＡＥセンサ１２３から静止画を取り込み、画像補正処理を一部もしくは全部省略して現像するため、画像の品質は通常ＬＶモードには劣るが、撮像センサ１０３を休ませつつ、滑らかな動画を表示することが出来る。
【００５８】
本実施形態では、リモートライブビューの動作モードについて詳しく説明した。静止画像を撮影する場合は、表示画面３０１に表示されたライブ映像を確認しながら、操作ボタン３０２を操作して撮影を開始する。静止画撮影のシーケンスについては、説明を割愛する。
【００５９】
本本実施形態では、リモートライブビューについて詳しく説明したが、撮像装置本体１００の画像表示部１１９に適用することも可能である。画像表示部１１９に表示する場合は、通常ＬＶ表示および簡易ＬＶ表示の送信先を、画像表示部１１９に変更するだけで良い。
【００６０】
以上、本発明について実施の形態に基づいて説明したが、本発明は、これらの実施の形態に限定されるものではなく、この発明の要旨を逸脱しない範囲の様々な形態も本発明に含まれる。例えば、本発明による撮像装置および遠隔制御システムにおいて、ライブ映像送信手段は無線ネットワークを前提に説明したが、有線ネットワークであっても構わない。
【符号の説明】
【００６１】
１００  カメラ本体、１０１  主ミラー、１０２  シャッタ、１０３  撮像センサ、
１０４  アナログ信号処理部、１０５  カメラ制御部、１０６  デジタルゲイン部、
１０７  画像処理部、１０９  ピント板、１１０  ペンタプリズム、
１１２  測光センサ、１１３  測光処理部、１１８  通信端子、１１９  画像表示部、
１２０  メモリ制御部、１２１  メモリ、１２２  操作部、２００  レンズユニット、
１２３  ＡＥセンサ、１２４  ＡＥセンサ処理部、１２５  温度センサ、
１２６  外部出力、３００  携帯端末、３０１  携帯端末の画面表示部、
４０１  被写体
【図１】
2018207428.tif 000003
【図２】
2018207428.tif 000004
【図３】
2018207428.tif 000005
【図４】
2018207428.tif 000006
【図５】
2018207428.tif 000007